(57)【特許請求の範囲】
【請求項１】
本体内部に被洗浄物を収容する洗浄槽と、前記洗浄槽の前面に開口部と、前記開口部を開閉する扉体と、前記洗浄槽内に給水を行う時に外部から洗浄水を導く給水ホースと、前記洗浄槽から排水を行う時に外部へ洗浄水を導く排水ホースと、前記本体の後下部に少なくとも前記給水ホースまたは前記排水ホースを収納する配管収納部と、前記本体の底面に複数の脚部とを備え、前記扉体は下端部を支点として上下に開閉するように構成され、前記本体の後部に前記本体の前部が浮き上がって後方に傾くことを防止する傾斜防止部材を有し、前記傾斜防止部材は、回転可能として本体側に収容できるように構成されたことを特徴とする食器洗い機。
【請求項２】
前記傾斜防止部材は、本体底面を延長するように構成されたことを特徴とする請求項１に記載の食器洗い機。
【請求項３】
前記傾斜防止部材は本体後部左右両側に設けられたことを特徴とする請求項１または２に記載の食器洗い機。
【請求項４】
前記傾斜防止部材は、本体背面より後方に突出するように設けられたことを特徴とする請求項１から３のうちいずれか一項に記載の食器洗い機。
【発明の詳細な説明】
【技術分野】
【０００１】
本発明は、キッチンの流し台等の上に置かれる食器を洗浄する卓上型の食器洗い機に関する。
【背景技術】
【０００２】
従来、食器洗い機の後下部に給排水ホースを収納する空間を有するキッチンの流し台等の上におかれる卓上型の食器洗い機が提案されている（例えば、特許文献１参照）。この種の食器洗い機は図１１〜図１３に示すように構成されていた。図１１と図１２は、従来の食器洗い機の斜視図で、図１１は開扉状態、図１２は閉扉状態を示す。図１３は、従来の食器洗い機の縦断正面図である。以下、その構成について説明する。
【０００３】
本体１１１は前面に開口部１１２を有するものであり、内部には、その開口部１１２に連なる内箱１１３を配設して洗浄槽１１４が形成される。洗浄槽１１４の内部には、図１３に示すように、食器１１５を配列する食器かご１１６を収容すると共に、食器１１７を載せ置く食器棚１１８を収容している。また、これら食器かご１１６及び食器棚１１８は、洗浄槽１１４の左右の両内側面部の下部と上部とに設けたレール部１１９，１２０上をそれぞれに移動する引き出し式にて、ともに前後に出し入れ可能に設けられている。
【０００４】
洗浄槽１１４内の食器かご１１６より下方の最下部には、２つの洗浄ノズル１２１，１２２が左右に並べてそれぞれ回転可能に設けられている。また、洗浄槽１１４の底部のほぼ中央には貯水部１２３を形成しており、この貯水部１２３と、内箱１１３の外下方部に配設した洗浄ポンプ１２４とを吸水パイプ１２５で接続している。更に、洗浄ポンプ１２４は、図示しない吐水口を洗浄ノズル１２１，１２２に接続パイプ１２６，１２７で接続しており、この構造で、洗浄ポンプ１２４が、洗浄槽１１４内の水（洗浄水）を貯水部１２３から吸水パイプ１２５を通じて吸入し、図示しない吐水口から接続パイプ１２６，１２７を通じて洗浄ノズル１２１，１２２に圧送するようになっている。
【０００５】
洗浄ノズル１２１，１２２に圧送された洗浄水は、それら洗浄ノズル１２１，１２２の各噴水口１２１ａ，１２２ａから噴出されるもので、その噴水の反動によって洗浄ノズル１２１，１２２は回転もする。かくして、洗浄水が食器かご１１６内及び食器棚１１８上の食器１１５，１１７に満遍なく噴射され、食器１１５，１１７の洗浄（洗い、すすぎ）が行われる。従って、洗浄ポンプ１２４及び洗浄ノズル１２１，１２２は、食器１１５，１１７を洗浄する洗浄手段として機能するものである。
【０００６】
また、貯水部１２３にはフィルタ１２８を装着しており、これによって、洗浄槽１１４内の洗浄水に含まれる残滓を取り除くようになっている。更に、貯水部１２３内にはヒータ１２９を配設しており、このヒータ１２９によって、洗浄水の加熱をし、更に、洗浄した食器１１５，１１７を乾燥させる折りの洗浄槽１１４内の空気の加熱をする。
【０００７】
なお、洗浄槽１１４内の水は、図示しない給水弁によって機外から、図示しない給水ホースを通じて洗浄槽１１４内に供給される。また、洗浄やすすぎが終わった洗浄水は、図示しない排水ホースを通じて洗浄槽１１４外に排出される。これらの給水ホースと排水ホースは、本体１１１の後下部に設けられた収納スペース１４４を通して右又は左に引き出される。さらに、本体１１１の外下面部の四隅部には脚１４３が設けられる。
【０００８】
また、本体１１１の前面の開口部１１２には扉１３０を設けている。この扉１３０は、ほぼ矩形状を成すもので、下端部の左右両側端部をヒンジ１３１により本体１１１に枢支
することによって、下端部を中心として上下に開閉回動するように設けている。
【０００９】
図１１において、扉１３０はヒンジ１３１により、図示のほぼ水平状態まで開放されて、この状態に保持されるようになっている。なお、食器かご１１６及び食器棚１１８は、この扉１３０の開放状態で前方に引き出され、その折り、食器かご１１６が扉１３０の裏面上に載るようになっている。一方、図１２において、扉１３０はヒンジ１３１により、図示のほぼ垂直状態に閉鎖されて、この状態に保持されるようになっている。
【００１０】
扉１３０の上端部には、扉１３０の開閉操作のための手掛け部１３４と、扉１３０の閉鎖ロック用のハンドル１３５とが中央部に設けられている。使用者が食器１１５，１１７等の被洗浄物を引き出した食器かご１１６と食器棚１１８にセットして洗浄槽１１４に収納し、洗剤を投入した後、扉１３０の上方にある手掛け部１３４を押して洗浄槽１１４の開口部１１２を閉塞するとともにハンドル１３５により閉鎖ロックを施し、運転を開始する。
【先行技術文献】
【特許文献】
【００１１】
【特許文献１】特開２０００−２６２４５７号公報
【発明の概要】
【発明が解決しようとする課題】
【００１２】
従来の食器洗い機においては、概ね４人以上の食器を洗浄することを想定しており、本体と洗浄槽の大きさはそれだけの食器を収納できるだけの容積を有し、相応の重量があった。しかしながら、近年、食器洗い機がさらに少人数向けや省スペース化などで小さく軽くなるにつれて、本体の後下部に配管の収納スペースを設けた従来の形態では、背面を壁に完全に当てて設置しない場合、扉体を強く締めると食器洗い機の前が浮いて後に傾き易くなり、扉体を閉める際に食器洗い機を手で支える等の配慮が必要になってきた。
【００１３】
本発明は、前記従来の課題を解決するもので、扉体を閉める際、後に傾きにくく、食器洗い機を手で支える等の配慮が不要である食器洗い機を提供することを目的とする。
【課題を解決するための手段】
【００１４】
前記従来の課題を解決するために、本発明の食器洗い機は、本体内部に被洗浄物を収容する洗浄槽と、前記洗浄槽の前面に前面開口部と、前記前面開口部を開閉する扉体と、前記洗浄槽内に給水を行う時に外部から洗浄水を導く給水ホースと、前記洗浄槽から排水を行う時に外部へ洗浄水を導く排水ホースと、前記本体の後下部に少なくとも前記給水ホースまたは前記排水ホースを収納する配管収納部と、前記本体の底面に複数の脚部とを備え、前記扉体は下端部を支点として上下に開閉するように構成され、前記本体の後部に前記
本体の前部が浮き上がって後方に傾くことを防止する傾斜防止部材を有し、前記傾斜防止部材は、回転可能として本体側に収容できるように構成されたことを特徴とする。
【００１５】
これにより、扉体により開口部を閉じる時に扉体の前面上部を押されても、食器洗い機が後方に傾斜しないようにすることができる。また、設置場所に応じて傾斜防止部材を回転させて使用する位置を選択することができ、本体設置位置の選択肢が広がる。さらに、傾斜防止部材を収納することにより、本体からの後方への出っ張りがなくなり、包装形態を大きくしなくて済む。
【発明の効果】
【００１６】
本発明の食器洗い機は、扉体により前面開口部を閉じる時に扉体の前面上部を押されても、食器洗い機が後方に傾斜しないため、食器洗い機を手で支える等の配慮を不要にすることができる。
【図面の簡単な説明】
【００１７】
【図１】本発明の第１の実施の形態における食器洗い機の断面図
【図２】本発明の第１の実施の形態における食器洗い機の背面図
【図３】本発明の第２の実施の形態における食器洗い機の断面図
【図４】本発明の第３の実施の形態における食器洗い機の断面図
【図５】本発明の第３の実施の形態における食器洗い機の背面図
【図６】本発明の第４の実施の形態における食器洗い機の断面図
【図７】本発明の第５の実施の形態における食器洗い機の断面図
【図８】本発明の第５の実施の形態における食器洗い機の背面図
【図９】本発明の第６の実施の形態における食器洗い機の断面図
【図１０】本発明の第７の実施の形態における食器洗い機の底面図
【図１１】従来の食器洗い機の斜視図
【図１２】従来の食器洗い機の斜視図
【図１３】従来の食器洗い機の縦断正面図
【発明を実施するための形態】
【００１８】
第１の発明は、本体内部に被洗浄物を収容する洗浄槽と、前記洗浄槽の前面に前面開口部と、前記前面開口部を開閉する扉体と、前記洗浄槽内に給水を行う時に外部から洗浄水を導く給水ホースと、前記洗浄槽から排水を行う時に外部へ洗浄水を導く排水ホースと、前記本体の後下部に少なくとも前記給水ホースまたは前記排水ホースを収納する配管収納部と、前記本体の底面に複数の脚部とを備え、前記扉体は下端部を支点として上下に開閉するように構成され、前記本体の後部に前記本体の前部が浮き上がって後方に傾くことを防止する傾斜防止部材を有し、前記傾斜防止部材は、回転可能として本体側に収容できるように構成されたことを特徴とする食器洗い機である。この構成によって、扉体により前面開口部を閉じるときに扉体の前面上部を押されても、食器洗い機が後方に傾斜しない。従って、食器洗い機を手で支える等の配慮を不要にすることができる。
【００１９】
第２の発明は、第１の発明において、傾斜防止部材は、本体底面を延長するように構成された食器洗い機で、給水手段、排水手段の配管を接続する際に、傾斜防止部材が作業の邪魔にならないようにできる。
【００２０】
第３の発明は、第１または第２の発明において、傾斜防止部材は、本体後部左右両側に設けられた食器洗い機で、扉体の左右どちらかに偏って押し込まれた時でも、本体が回転せず、傾斜しないようにできる。
【００２１】
第４の発明は、第１から第３のいずれかの発明において、傾斜防止部材は、本体背面より後方に突出するように設けられた食器洗い機で、傾斜防止部材が後方にあるため、傾斜防止の効果を高めることができる。
【００２４】
また、設置場所に応じて傾斜防止部材を回転させて使用する位置を選択することができ、本体設置位置の選択肢が広がる。さらに、傾斜防止部材を収納することにより、本体からの後方への出っ張りがなくなり、包装形態を大きくしなくて済む。
【００２５】
以下、本発明の実施の形態について、図面を参照しながら説明する。なお、この実施の形態によって本発明が限定されるものではない。
【００２６】
（実施の形態１）
図１は本発明の第１の実施の形態における食器洗い機の要部を示した断面図、図２は同食器洗い機の背面図である。図において、食器洗い機の本体１の内部には、洗浄槽２が設けられており、洗浄槽２の内部には、食器などの被洗浄物３を設置する食器かご４が収容されている。洗浄槽２の前面には前面開口部５が設けられており、前面開口部５を１枚の扉体６により開閉するよう構成されている。扉体６は図１に波線で示すように、下端を支点として前方に開くように構成されている。食器かご４は前面開口部５からスライドして開放した扉体６の上に引き出すことができる。
【００２７】
洗浄手段は、洗浄槽２の底部に設けられる２個の洗浄ノズル９を有している（図１では側面視のため１個しか図示していない）。それぞれの洗浄ノズル９の表面には、洗浄水が噴射される噴射口が複数個設けられている。洗浄ノズル９は洗浄槽２の底部に回転自在に設けられ、食器などの被洗浄物３に洗浄水を噴射する。本実施の形態１では、洗浄ノズル９が洗浄槽２の底部に２個設けられているが、洗浄槽２の形状に応じて１個にしても良いし、さらに回転しない固定ノズルを用いても良い。
【００２８】
洗浄ポンプ１０は、洗浄水を加圧するとともに洗浄ノズル９へ洗浄水を供給して噴射させるもので、洗浄槽２の底面外側に設けられている。洗浄ノズル９から噴射された洗浄水は被洗浄物３を洗浄した後、洗浄ポンプ１０に戻ってくるような循環経路となっている。
【００２９】
本体１の後下部には空間が設けられ、給水手段として洗浄槽２内に給水を行う給水弁１１が洗浄槽２の外壁に取り付けられている。給水弁１１には、水を供給する給水ホース１２が接続され、給水ホース１２は水道（図示せず）に繋がれている。また、洗浄後の水を外に排水する排水手段として、排水ホース１３が洗浄槽２から排水ポンプ（図示せず）を通じて接続されている。そして、本体１の後下部の空間は本体１の左右端まで形成され、給水ホース１２や排水ホース１３を左右いずれかの側方へ引き出すための配管収納部１６を構成している。
【００３０】
本体１の底面にはゴム製の脚部であるところの前方アシ７及び後方アシ８が設けられ、キッチンの流し台の天板やシンクの上方等に設置された時に、扉体６を開閉したりしてもズレて動かないようになっている。この時、配管収納部１６により本体１の底面は本体１の背面までの大きさはなく、後方アシ８は配管収納部１６の前側に設けられている。配管収納部１６の下方には、本体１から背面近傍位置まで底面を延長するように、略Ｌ字形の傾斜防止部材１４が設けられ、その先端の下面にはアシゴム１５が取り付けられている。
【００３１】
以上のように構成された食器洗い機について、図１、図２を用いてその動作と作用を説明する。食器等の被洗浄物３を食器かご４にセットして洗浄槽２に収納し、使用者が洗剤を投入した後、扉体６により洗浄槽２の前面開口部５を閉塞し、運転を開始する。
【００３２】
扉体６は本体に密着して洗浄水の漏洩を防止する。扉体６を閉める際には、前方に開放された扉体６の先端を持ち上げ、扉体６を本体１にロックするためにある程度の力で押さえる必要がある。この時、本実施の形態１の構成では扉体６が１つのため、扉体６の上部すなわち食器洗い機の上部を押すことになる。すなわち、本体１の背面が壁に沿うように設置されていない場合には、本体１の前部が浮き上がって後ろに傾斜し易くなる。特に、食器洗い機が少人数用として小型化されてきていると、本体重量のみならず、被洗浄物の量も少なくなり、全体の重量が軽くなって前部が浮き上がりやすくなる。
【００３３】
また、本体１の後下部に給水ホース１２や排水ホース１３を収納する配管収納部１６が設けられていると、この状況は顕著になる。このような時、本実施の形態１の構成においては本体１の後下部に略Ｌ字形の傾斜防止部材１４を備えるため、従来例に示したような後方の脚部より後方で本体１を支えることができる。すなわち、扉体６を閉じるときに扉体６の前面上部を押されても、本体１の前部が浮き上がって後方に傾斜することを抑制することができ、本体１を手で支える等の配慮を不要にすることができる。
【００３４】
なお傾斜防止部材は、後方への傾斜を防止するように構成された部材であれば、形状は特に限定するものではない。
【００３５】
（実施の形態２）
図３は、本発明の第２の実施の形態の食器洗い機の要部を示した断面図である。なお、上記実施の形態１における食器洗い機と同一部分については、同一符号を付してその説明を省略する。本実施の形態２は、図３に示すように、傾斜防止部材１４を本体底面を延長するように構成したもので、他の構成は上記実施の形態１と同じである。
【００３６】
本実施の形態２では、傾斜防止部材を本体底面を延長するように構成したため、傾斜防止の効果を高めることができる。また、給水ホース１２と排水ホース１３を接続する際に、それぞれのホースを接続するスペースが広く取れ、傾斜防止部材が作業の邪魔にならないようにできる。なお、傾斜防止部材は、必ずしも本体１と一体で構成する必要はなく、また、後方への傾斜を防止するように構成された部材であれば必ずしも底面と面一に構成する必要はない。
【００３７】
（実施の形態３）
図４は、本発明の第３の実施の形態の食器洗い機の要部を示した断面図、図５は本発明の第３の実施の形態の食器洗い機の背面図である。本実施の形態３は、図４、図５に示すように、傾斜防止部材１４を本体後部左右両側に設けたもので、他の構成は上記実施の形態１と同じである。
【００３８】
本実施の形態３では、傾斜防止部材を、本体後部左右両側に設けたもので、扉体の左右どちらかに偏って押し込まれた時でも、本体が回転せず、傾斜しないようにできる。
【００３９】
（実施の形態４）
図６は、本発明の第４の実施の形態の食器洗い機の要部を示した断面図である。本実施の形態４は、傾斜防止部材１４を本体背面より後方に突出するように設けたもので、他の構成は上記実施の形態１と同じである。
【００４０】
本実施の形態４では、傾斜防止部材を、本体背面より後方に突出するように設けたもので、傾斜防止部材１４のアシゴム１５が本体１の背面より後方にあるため、傾斜防止の効果をより高めることができる。
【００４１】
（実施の形態５）
図７は、本発明の第５の実施の形態の食器洗い機の要部を示した断面図、図８は本発明の第５の実施の形態の食器洗い機の背面図である。本実施の形態５は、傾斜防止部材１４を、本体背面に沿って設けたもので、他の構成は上記実施の形態１と同じである。
【００４２】
本実施の形態５では、傾斜防止部材１４を、本体１の背面に沿って設けたもので、本体１が後方に傾斜しようとした時の支えが背面位置にあるため、傾斜防止の効果を高めることができる。なお、この構成では、傾斜防止部材１４は配管押さえとして作用し、給水ホ
ースと排水ホースを本体から後方にはみ出さない様にすることができる。
【００４３】
（実施の形態６）
図９は、本発明の第６の実施の形態の食器洗い機の要部を示した断面図である。本実施の形態６は、傾斜防止部材１４を着脱可能にし、取り付け部を複数設けたもので、他の構成は上記実施の形態１と同じである。
【００４４】
本実施の形態６では、傾斜防止部材１４を着脱可能にし、取り付け部を複数設けたもので、傾斜防止部材１４の位置を選択することができ、設置場所に応じた取り付けとすることで本体設置位置の選択肢が広がる。また、傾斜防止部材１４を外すことにより、本体１からの後方への出っ張りがなくなり、包装形態を大きくしなくて済む。
【００４５】
（実施の形態７）
図１０は、本発明の第７の実施の形態の食器洗い機の底面図である。本実施の形態７は、傾斜防止部材１４を回転可能として本体に収容できるようにしたもので、他の構成は上記実施の形態１と同じである。
【００４６】
本実施の形態７では、傾斜防止部材１４を回転可能として本体に収容できるようにしたもので、設置場所に応じて傾斜防止部材１４を回転させて使用する位置を選択することができ、本体設置位置の選択肢が広がる。また、傾斜防止部材１４を収納することにより、本体からの後方への出っ張りがなくなり、包装形態を大きくしなくて済む。
【産業上の利用可能性】
【００４７】
以上のように、本発明にかかる食器洗い機は、卓上型の食器洗い機だけでなく、食器乾燥機としても有用である。
【符号の説明】
【００４８】
１  本体
２  洗浄槽
３  被洗浄物
４  食器かご
５  前面開口部
６  扉体
７  前方アシ
８  後方アシ
９  洗浄ノズル
１０  洗浄ポンプ
１１  給水弁
１２  給水ホース
１３  排水ホース
１４  傾斜防止部材
１５  アシゴム
１６  配管収納部
【図１】
0005945711.tif 000002
【図２】
0005945711.tif 000003
【図３】
0005945711.tif 000004
【図４】
0005945711.tif 000005
【図５】
0005945711.tif 000006
【図６】
0005945711.tif 000007
【図７】
0005945711.tif 000008
【図８】
0005945711.tif 000009
【図９】
0005945711.tif 000010
【図１０】
0005945711.tif 000011
【図１１】
0005945711.tif 000012
【図１２】
0005945711.tif 000013
【図１３】
0005945711.tif 000014